(57)【特許請求の範囲】
【請求項１】
ブロイラー用の効率的で環境に優しい知能の飼料供給装置であって、
ベース（１）、トラフ（２）、給餌装置（３）、飼料タンク（４）、および制御モジュ
ール（５）を含み、
前記ベース（１）は水平な地面に固定的に設置され、ベース（１）は、パイプを介して
糞便収集池（１１１）に接続されブロイラー糞便を収集するための糞便バケツ（１１）を
含み、前記糞便バケツ（１１）の内側に周方向に間隔を空けてブロイラーを支持するため
の複数の支持ブロック（１２）が配置され、前記支持ブロック（１２）上にブロイラーを
計量するための重量センサー（１２１）が設けられ、ベース（１）の上面に、支持ブロッ
ク（１２）の周りに取り付けられブロイラーの落下を防ぐブロイラー糞便を収集するため
のグリッドラック（１３）が配置され、
前記トラフ（２）は、前記支持ブロック（１２）の内端の上方に環状に配置され、トラ
フ（２）は間隔を空けて設けられた複数の給餌トラフ（２１）および飲用トラフ（２２）
を含み、前記給餌トラフ（２１）内にそれぞれ飼料を添加するための投入口（２１１）、
およびカビになるのを防ぐためにブロイラーが食べきれない飼料を糞便バケツ（１１）に
こすり取るためのこすり取り装置（２１２）が設けられ、前記飲用トラフ（２２）内にそ
れぞれ飲用水を添加するための水添加口（２２１）、および飲用トラフ（２２）の傾斜角
度を制御することにより飲用トラフ（２２）内の飲用水の貯蔵や糞便バケツ（１１）への
投棄を実現するための角度制御装置（２２２）が設けられ、
前記給餌装置（３）はトラフ（２）の上方に配置され、給餌装置（３）はそれぞれ投入
口（２１１）と計量弁１（３１１）を介してパイプに接続された混合タンク（３１）を含
み、前記混合タンク（３１）の内部には、飼料を攪拌するための攪拌装置（３１２）、お
よび飼料温度を制御するための温度制御装置（３１３）が含まれ、
前記飼料タンク（４）は給餌装置（３）の上方に配置され、飼料タンク（４）内に前記
水添加口（２２１）とパイプを介して接続された貯水タンク（４１）、およびそれぞれ混
合タンク（３１）と計量弁２（４２）を介して接続された飼料タンク（４３）、ビタミン
タンク（４４）、添加剤タンク（４５）、薬剤タンク（４６）を含み、飼料タンク（４）
の上方に封止カバー（４７）がさらに設けられ、
前記制御モジュール（５）は、給餌装置（３）の内壁上に設けられたコントローラ（５
１）、および飼料タンク（４）の外側に設けられたコントロールパネル（５２）を含み、
前記コントローラ（５１）には、重量センサー（１２１）、こすり取り装置（２１２）、
角度制御装置（２２２）、計量弁１（３１１）、攪拌装置（３１２）、温度制御装置（３
１３）、計量弁２（４２）、及びコントロールパネル（５２）が接続される、
ことを特徴とするブロイラー用の効率的で環境に優しい知能の飼料供給装置。
【請求項２】
前記こすり取り装置（２１２）は、給餌トラフ（２１）の底面、側面をこすり取るための
底部掻き取板（２１２１）、側面掻き取板（２１２２）、および底部掻き取板（２１２１
）、側面掻き取板（２１２２）に伸縮ロッド（２１２３）を介して接続され引張力を加え
るプッシュプルモータ（２１２４）を含み、プッシュプルモータ（２１２４）は、リレー
を介してコントローラ（５１）に電気的に接続される、ことを特徴とする請求項１に記載
のブロイラー用の効率的で環境に優しい知能の飼料供給装置。
【請求項３】
前記角度制御装置（２２２）は、前記飲用トラフ（２２）の底部に可動的に接続された油
圧伸縮ロッド（２２２１）、および油圧伸縮ロッド（２２２１）の他端に接続され油圧動
力を提供するためのモータポンプ（２２２２）を含み、モータポンプ（２２２２）は、リ
レーを介してコントローラ（５１）に電気的に接続される、ことを特徴とする請求項１に
記載のブロイラー用の効率的で環境に優しい知能の飼料供給装置。
【請求項４】
前記温度制御装置（３１３）は、混合タンク（３１）のタンク壁の内部に設けられた電気
加熱ワイヤ（３１３１）、および給餌装置（３）の内壁に設けられ混合タンク（３１）と
パイプを介して接続されたスプレーチラー（３１３２）を含み、前記電気加熱ワイヤ（３
１３１）とスプレーチラー（３１３２）は、リレーを介してコントローラ（５１）に電気
的に接続される、ことを特徴とする請求項１に記載のブロイラー用の効率的で環境に優し
い知能の飼料供給装置。
【請求項５】
前記給餌装置（３）は、一定の時間が経過すると飼料を食べているブロイラーを駆逐する
ための駆逐装置（６）をさらに含み、駆逐装置（６）は、給餌装置（３）の上端の周りに
配置された複数の持ち上げモータ（６１）、およびロープを介して持ち上げモータ（６１
）の回転軸上に接続された鈴（６２）を含む、ことを特徴とする請求項１に記載のブロイ
ラー用の効率的で環境に優しい知能の飼料供給装置。
【請求項６】
前記貯水タンク（４１）は、マニホールドを通じて、前記混合タンク（３１）に計量弁２
（４２）を介して接続され、混合タンク（３１）内の混合飼料の水分含有率を調節するた
めに用いられる、ことを特徴とする請求項１に記載のブロイラー用の効率的で環境に優し
い知能の飼料供給装置。
【請求項７】
前記スプレーチラー（３１３２）は、それぞれ前記飼料タンク（４３）、ビタミンタンク
（４４）、添加剤タンク（４５）、薬剤タンク（４６）に接続される、ことを特徴とする
請求項４に記載のブロイラー用の効率的で環境に優しい知能の飼料供給装置。
【発明の詳細な説明】
【技術分野】
【０００１】
本発明は、養殖機器の技術分野に属し、具体的には、ブロイラー用の効率的で環境に優し
い知能の飼料供給装置に関する。
【背景技術】
【０００２】
高効率、低コストなどの固有の利点により、ブロイラー養殖産業は中国の畜産分野で最も
工業化された産業である。中国の鶏肉の総生産量は１９８４年の１３５．８万トンから２
００９年の１１４４万トンに増加し、年率５％〜１０％の成長を続けている。品質が広く
認められていることから、中国産鶏肉は日本や韓国などに輸出されているだけでなく、食
品安全性への要求が高いＫＦＣのような多国籍ケータリングブランドは基本的に中国産鶏
肉を購入している。２０１０年だけでも、ＫＦＣの子会社であるＹｕｍ！Ｃｈｉｎａは１
８万トンの鶏肉原料を購入し、その９８％は中国の地元サプライヤーからのものである。
【０００３】
大規模な養鶏は、散在する養殖よりも科学的かつ体系的な管理に便利であり、新技術のタ
イムリーな導入と適用を容易にし、コストを大幅に削減し、家畜や家禽製品の生産効率を
向上させることができる。同時に、大規模な養殖は、完全なプロセス全体の品質管理と食
品安全監視システムの確立を通じて、製品の品質と食品の安全性を確保する。
【０００４】
しかしながら、ブロイラー養殖における現在の飼料供給は大きな問題であり、ブロイラー
の数が多く、各ブロイラーの食物摂取量が異なるため、どのように飼料を知能に給餌する
のは解決すべき緊急の問題であり、ブロイラーは食物摂取時戦いやすく、食物をつかみや
すいため、弱いブロイラーは食物を摂取できず、あるいは死ぬことさえありそこで、ブロ
イラー用の効率的で環境に優しい知能の飼料供給装置を設計する必要がある。
【発明の概要】
【０００５】
上記の問題に対して、本発明は、ブロイラー用の効率的で環境に優しい知能の飼料供給装
置を提供する。
【０００６】
本発明の技術的解決策として、以下のブロイラー用の効率的で環境に優しい知能の飼料供
給装置を提供し、それは、主にベース、トラフ、給餌装置、飼料タンク、および制御モジ
ュールを含み、
前記ベースは水平な地面に固定的に設置され、ベースは、パイプを介して糞便収集池に接
続されブロイラー糞便を収集するための糞便バケツを含み、前記糞便バケツの内側に周方
向に間隔を空けてブロイラーを支持するための複数の支持ブロックが配置され、前記支持
ブロック上にブロイラーを計量するための重量センサーが設けられ、ベースの上面に、支
持ブロックの周りに取り付けられブロイラーの落下を防ぎブロイラー糞便を収集するため
のグリッドラックが配置され、
前記トラフは、前記支持ブロックの内端の上方に環状に配置され、トラフは間隔を空けて
設けられた複数の給餌トラフおよび飲用トラフを含み、前記給餌トラフ内にそれぞれ飼料
を添加するための投入口、およびがカビになるのを防ぐためにブロイラーが食べきれない
飼料を糞便バケツにこすり取るためのこすり取り装置が設けられ、前記飲用トラフ内にそ
れぞれ飲用水を添加するための水添加口、および飲用トラフの傾斜角度を制御することで
飲用トラフ内の飲用水の貯蔵や糞便バケツへの投棄を実現するための角度制御装置が設け
られ、
前記給餌装置はトラフの上方に配置され、給餌装置はそれぞれ投入口と計量弁１を介して
パイプに接続された混合タンクを含み、前記混合タンクの内部には、飼料を攪拌するため
の攪拌装置、および飼料温度を制御するための温度制御装置が含まれ、
前記飼料タンクは給餌装置の上方に配置され、飼料タンク内に前記水添加口とパイプを介
して接続された貯水タンク、およびそれぞれ混合タンクと計量弁２を介して接続された飼
料タンク、ビタミンタンク、添加剤タンク、薬剤タンクを含み、飼料タンクの上方に封止
カバーがさらに設けられ、
前記制御モジュールは、給餌装置の内壁上に設けられたコントローラ、および飼料タンク
の外側に設けられたコントロールパネルを含み、前記コントローラには、それぞれ重量セ
ンサー、こすり取り装置、角度制御装置、計量弁１、攪拌装置、温度制御装置、計量弁２
、コントロールパネルが接続される。
【０００７】
さらに、前記こすり取り装置は、給餌トラフの底面、側面をこすり取るための底部掻き取
板、側面掻き取板、および底部掻き取板、側面掻き取板に伸縮ロッドを介して接続され引
張力を加えるプッシュプルモータを含み、プッシュプルモータは、リレーを介してコント
ローラに電気的に接続され、こすり取り装置は、給餌トラフ内の残留飼料を掃除し、残留
食物のカビにより引き起こされるブロイラーの病気を防止する。
【０００８】
さらに、前記角度制御装置は、前記飲用トラフの底部に可動的に接続された油圧伸縮ロッ
ド、および油圧伸縮ロッドの他端に接続され油圧動力を提供するためのモータポンプを含
み、モータポンプは、リレーを介してコントローラに電気的に接続され、角度制御装置は
、ブロイラーの飲用が終了した後飲用トラフを傾けて飲用トラフ内の水を糞便バケツに流
入させ、残留水が細菌や蚊を繁殖させるのを防ぐだけでなく、糞便バケツ上の糞便を洗浄
することができる。
【０００９】
さらに、前記温度制御装置は、混合タンクのタンク壁の内部に設けられた電気加熱ワイヤ
、および給餌装置の内壁に設けられ混合タンクとパイプを介して接続されたスプレーチラ
ーを含み、前記電気加熱ワイヤとスプレーチラーは、すべてリレーを介してコントローラ
に電気的に接続され、環境温度に応じて飼料の温度を調整し、温度不適切により引き起こ
されるブロイラーが食物を摂取したくない状況を回避するために使用される。
【００１０】
さらに、前記給餌装置は、一定の時間が経過すると飼料を食べているブロイラーを駆逐す
るための駆逐装置をさらに含み、駆逐装置は、給餌装置の上端の周りに配置された複数の
持ち上げモータ、およびロープを介して持ち上げモータの回転軸上に接続された鈴を含み
、ブロイラーの食物摂取期間中、適当に鶏群を駆逐することでブロイラーの食物摂取を刺
激し、ブロイラーの食物摂取を最大化することができる。
【００１１】
さらに、前記貯水タンクは、マニホールドを通じて、前記混合タンクに計量弁２を介して
接続され、混合タンク内の混合飼料の水分含有率を調節するために用いられ、飼料自身の
水分含有率が低すぎるため、飼料の水分含有率を増加するには外部の水源が必要である。
【００１２】
さらに、前記スプレーチラーは、それぞれ前記飼料タンク、ビタミンタンク、添加剤タン
ク、薬剤タンクに接続され、飼料タンク、ビタミンタンク、添加剤タンク、薬剤タンク内
の物品を冷蔵保存し、急激な変質を防止する。
【００１３】
本発明の動作原理は以下の通りである。ブロイラーの食物摂取前に、操作者はコントロー
ルパネルを通じて鶏の数、飼料割合および飼料に薬物を加える必要があるかどうかを制御
し、コントローラは、それぞれ計量弁２を制御して貯水タンク、飼料タンク、ビタミンタ
ンク、添加剤タンク、薬剤タンク内の物品を混合タンクに添加し、攪拌装置で飼料を均一
に混合し、温度制御装置は室温に応じて飼料を加熱または冷却し、ブロイラー食物摂取期
間中、計量弁１を開き、投入口から給餌トラフ内に少量の混合飼料を添加し、ブロイラー
が食物を摂取したい時、支持ブロックにジャンプし鶏頭を給餌トラフに伸ばして食物を摂
取し、重量センサーはそれぞれ食物を摂取する各ブロイラーの計量し、飼料を食べている
ブロイラーの体重に応じてコントローラでそれぞれ計量弁１を制御して給餌トラフ内に適
切量の飼料を添加し、同時に水添加口を介して飲用トラフ内に飲用水を添加し、ブロイラ
ーの食物摂取期間中、駆逐装置の鈴により、飼料を食べているブロイラーを一度駆逐して
、その食物摂取を刺激し、食物摂取期間中、ブロイラーの糞便がグリッドラックを介して
糞便バケツ内に落下し、食物摂取の後、こすり取り装置は給餌トラフの内壁上の残留飼料
を糞便バケツにこすりとり、角度制御装置は飲用トラフ内の水を糞便バケツに注ぎ、糞便
バケツ上の糞便と飼料残渣を糞便収集池に洗い流す。
【００１４】
本発明の有益な効果は以下の通りである。本発明によって提供されるブロイラー用の効率
的で環境に優しい知能の飼料供給装置は、間隔を空けて配置された給餌トラフにより、ブ
ロイラーが食物摂取の時戦いやすく、食物をつかみやすいのを回避し、同時に各給餌トラ
フの外側に支持ブロックを配置し、飼料を食べているブロイラーを計量し、その体重に応
じて給餌量を制御し、飼料の浪費を避け、同時にこすり取り装置により、ブロイラーの食
物摂取後残留飼料をこすり取り、残留飼料のカビによる鶏群の病気を防ぎ、また、ベース
内に糞便バケツが配置され、食物摂取期間ブロイラーの糞便とこすり取られた飼料残渣を
収集して、ブロイラーの生活環境への汚染を避け、飼料タンクの設置により、必要に応じ
てブロイラー飼料の割合を調節でき、かつ温度制御装置により飼料温度を調節することが
できる。要するに、本発明は、新規な構造、科学的成分、正確な給餌、環境保護などの利
点を有する。
【図面の簡単な説明】
【００１５】
【図１】本発明の全体的な構造の概略図である。
【図２】本発明の内部構造の概略図である。
【図３】本発明の給餌トラフ構造の概略図である。
【図４】本発明の飲用トラフ構造の概略図である。
【００１６】
［符号の説明］
１      ベース
１１      糞便バケツ
１１１      糞便収集池
１２      支持ブロック
１２１      重量センサー
１３      グリッドラック
２      トラフ
２１      給餌トラフ
２１１      投入口
２１２      こすり取り装置
２１２１      底部掻き取板
２１２２      側面掻き取板
２１２３      伸縮ロッド
２１２４      プッシュプルモータ
２２      飲用トラフ
２２１      水添加口
２２２      角度制御装置
２２２１      油圧伸縮ロッド
２２２２      モータポンプ
３      給餌装置
３１      混合タンク
３１１      計量弁１
３１２      攪拌装置
３１３      温度制御装置
３１３１      電気加熱ワイヤ
３１３２      スプレーチラー
４      飼料タンク
４１      貯水タンク
４２      計量弁２
４３      飼料タンク
４４      ビタミンタンク
４５      添加剤タンク
４６      薬剤タンク
４７      封止カバー
５      制御モジュール
５１      コントローラ
５２      コントロールパネル
６      駆逐装置
６１      持ち上げモータ
６２      鈴
【発明を実施するための形態】
【００１７】
本発明の技術的解決策の理解を容易にするために、本発明を、添付の図面１〜４および特
定の実施例を参照して以下にさらに説明するが、実施例は発明の保護範囲を限定するもの
ではない。
【００１８】
実施例１：図１〜２に示すように、ブロイラー用の効率的で環境に優しい知能の飼料供給
装置は、主にベース１、トラフ２、給餌装置３、飼料タンク４、および制御モジュール５
を含み、
ベース１は水平な地面に固定的に設置され、ベース１は、パイプを介して糞便収集池１１
１に接続されブロイラー糞便を収集するための糞便バケツ１１を含み、糞便バケツ１１の
内側に周方向に間隔を空けてブロイラーを支持するための複数の支持ブロック１２が配置
され、支持ブロック１２上にブロイラーを計量するための重量センサー１２１が設けられ
、ベース１の上面に、支持ブロック１２の周りに取り付けられブロイラーの落下を防ぎブ
ロイラー糞便を収集するためのグリッドラック１３が配置され、
トラフ２は、支持ブロック１２の内端の上方に環状に配置され、トラフ２は間隔を空けて
設けられた複数の給餌トラフ２１および飲用トラフ２２を含み、給餌トラフ２１内にそれ
ぞれ飼料を添加するための投入口２１１、およびがカビになるのを防ぐためにブロイラー
が食べきれない飼料を糞便バケツ１１にこすり取るためのこすり取り装置２１２が設けら
れる。
【００１９】
図３に示すように、こすり取り装置２１２は、給餌トラフ２１の底面、側面をこすり取る
ための底部掻き取板２１２１、側面掻き取板２１２２、および底部掻き取板２１２１、側
面掻き取板２１２２に伸縮ロッド２１２３を介して接続され引張力を加えるプッシュプル
モータ２１２４を含み、プッシュプルモータ２１２４は、タイムリレーを介してコントロ
ーラ５１に電気的に接続され、
飲用トラフ２２内にそれぞれ飲用水を添加するための水添加口２２１、および飲用トラフ
２２の傾斜角度を制御することで飲用トラフ２２内の飲用水の貯蔵や糞便バケツ１１への
投棄を実現するための角度制御装置２２２が設けられ、
図４に示すように、角度制御装置２２２は、飲用トラフ２２の底部に可動的に接続された
油圧伸縮ロッド２２２１、および油圧伸縮ロッド２２２１の他端に接続され油圧動力を提
供するためのモータポンプ２２２２を含み、モータポンプ２２２２はリードリレーを介し
てコントローラ５１に電気的に接続され、
給餌装置３はトラフ２の上方に配置され、給餌装置３はそれぞれ投入口２１１と計量弁１
（３１１）を介してパイプに接続された混合タンク３１を含み、混合タンク３１の内部に
は、飼料を攪拌するための攪拌装置３１２、および飼料温度を制御するための温度制御装
置３１３が含まれ、温度制御装置３１３は、混合タンク３１のタンク壁の内部に設けられ
た電気加熱ワイヤ３１３１、および給餌装置３の内壁に設けられ混合タンク３１とパイプ
を介して接続されたスプレーチラー３１３２を含み、スプレーチラー３１３２はさらに飼
料タンク４３、ビタミンタンク４４、添加剤タンク４５、薬剤タンク４６にそれぞれ接続
され、電気加熱ワイヤ３１３１とスプレーチラー３１３２はそれぞれ温度リレーを介して
コントローラ５１に電気的に接続され、
給餌装置３は、一定の時間が経過すると飼料を食べているブロイラーを駆逐するための駆
逐装置６をさらに含み、駆逐装置６は、給餌装置３の上端の周りに配置された複数の持ち
上げモータ６１、およびロープを介して持ち上げモータ６１の回転軸上に接続された鈴６
２を含み、
飼料タンク４は給餌装置３の上方に配置され、飼料タンク４内に水添加口２２１とパイプ
を介して接続された貯水タンク４１、およびそれぞれ混合タンク３１と計量弁２（４２）
を介して接続された飼料タンク４３、ビタミンタンク４４、添加剤タンク４５、薬剤タン
ク４６を含み、飼料タンク４の上方に封止カバー４７がさらに設けられ、貯水タンク４１
はマニホールドを通じて混合タンク３１に計量弁２（４２）を介して接続され、混合タン
ク３１内の混合飼料の水分含有率を調節するために使用され、
制御モジュール５は、給餌装置３の内壁上に設けられたコントローラ５１、および飼料タ
ンク４の外側に設けられたコントロールパネル５２を含み、コントローラ５１には、それ
ぞれ重量センサー１２１、こすり取り装置２１２、角度制御装置２２２、計量弁１（３１
１）、攪拌装置３１２、温度制御装置３１３、計量弁２（４２）、コントロールパネル５
２が接続される。
【００２０】
実施例１の動作方法は以下の通りである。ブロイラーの食物摂取前に、操作者はコントロ
ールパネル５２を通じて鶏の数、飼料割合および飼料に薬物を加える必要があるかどうか
を制御し、コントローラ５１は、それぞれ計量弁２（４２）を制御して貯水タンク４１、
飼料タンク４３、ビタミンタンク４４、添加剤タンク４５、薬剤タンク４６内の物品を混
合タンク３１に添加し、攪拌装置３１２で飼料を均一に混合し、温度制御装置３１３は室
温に応じて飼料を加熱または冷却し、ブロイラー食物摂取期間中、計量弁１（３１１）を
開き、投入口２１１から給餌トラフ２１内に少量の混合飼料を添加し、ブロイラーが食物
を摂取したい時、支持ブロック１２にジャンプし鶏頭を給餌トラフ２１に伸ばして食物を
摂取し、重量センサー１２１はそれぞれ食物を摂取する各ブロイラーの計量し、飼料を食
べているブロイラーの体重に応じてコントローラ５１でそれぞれ計量弁１（３１１）を制
御して給餌トラフ２１内に適切量の飼料を添加し、同時に水添加口２２１を介して飲用ト
ラフ２２内に飲用水を添加し、ブロイラーの食物摂取期間中、駆逐装置６の鈴により、飼
料を食べているブロイラーを一度駆逐して、その食物摂取を刺激し、食物摂取期間中、ブ
ロイラーの糞便がグリッドラック１３を介して糞便バケツ１１内に落下し、食物摂取の後
、こすり取り装置は給餌トラフ２１の内壁上の残留飼料を糞便バケツ１１にこすりとり、
角度制御装置２２２は飲用トラフ２２内の水を糞便バケツ１１に注ぎ、糞便バケツ１１上
の糞便と飼料残渣を糞便収集池１１１に洗い流す。
【００２１】
実施例２：図１〜２に示すように、ブロイラー用の効率的で環境に優しい知能の飼料供給
装置は、主にベース１、トラフ２、給餌装置３、飼料タンク４、および制御モジュール５
を含み、
ベース１は水平な地面に固定的に設置され、ベース１は、パイプを介して糞便収集池１１
１に接続されブロイラー糞便を収集するための糞便バケツ１１を含み、糞便バケツ１１の
内側に周方向に間隔を空けてブロイラーを支持するための複数の支持ブロック１２が配置
され、支持ブロック１２上にブロイラーを計量するための重量センサー１２１が設けられ
、ベース１の上面に、支持ブロック１２の周りに取り付けられブロイラーの落下を防ぎブ
ロイラー糞便を収集するためのグリッドラック１３が配置され、
トラフ２は、支持ブロック１２の内端の上方に環状に配置され、トラフ２は間隔を空けて
設けられた複数の給餌トラフ２１および飲用トラフ２２を含み、給餌トラフ２１内にそれ
ぞれ飼料を添加するための投入口２１１、およびがカビになるのを防ぐためにブロイラー
が食べきれない飼料を糞便バケツ１１にこすり取るためのこすり取り装置２１２が設けら
れる。
【００２２】
図３に示すように、こすり取り装置２１２は、給餌トラフ２１の底面、側面をこすり取る
ための底部掻き取板２１２１、側面掻き取板２１２２、および底部掻き取板２１２１、側
面掻き取板２１２２に伸縮ロッド２１２３を介して接続され引張力を加えるプッシュプル
モータ２１２４を含み、プッシュプルモータ２１２４は、タイムリレーを介してコントロ
ーラ５１に電気的に接続され、
飲用トラフ２２内にそれぞれ飲用水を添加するための水添加口２２１、および飲用トラフ
２２の傾斜角度を制御することで飲用トラフ２２内の飲用水の貯蔵や糞便バケツ１１への
投棄を実現するための角度制御装置２２２が設けられ、
図４に示すように、角度制御装置２２２は、飲用トラフ２２の底部に可動的に接続された
油圧伸縮ロッド２２２１、および油圧伸縮ロッド２２２１の他端に接続され油圧動力を提
供するためのモータポンプ２２２２を含み、モータポンプ２２２２はリードリレーを介し
てコントローラ５１に電気的に接続され、
給餌装置３はトラフ２の上方に配置され、給餌装置３はそれぞれ投入口２１１と計量弁１
（３１１）を介してパイプに接続された混合タンク３１を含み、混合タンク３１の内部に
は、飼料を攪拌するための攪拌装置３１２、および飼料温度を制御するための温度制御装
置３１３が含まれ、温度制御装置３１３は、混合タンク３１のタンク壁の内部に設けられ
た電気加熱ワイヤ３１３１、および給餌装置３の内壁に設けられ混合タンク３１とパイプ
を介して接続されたスプレーチラー３１３２を含み、スプレーチラー３１３２はさらに飼
料タンク４３、ビタミンタンク４４、添加剤タンク４５、薬剤タンク４６にそれぞれ接続
され、電気加熱ワイヤ３１３１とスプレーチラー３１３２はそれぞれ温度リレーを介して
コントローラ５１に電気的に接続され、
飼料タンク４は給餌装置３の上方に配置され、飼料タンク４内に水添加口２２１とパイプ
を介して接続された貯水タンク４１、およびそれぞれ混合タンク３１と計量弁２（４２）
を介して接続された飼料タンク４３、ビタミンタンク４４、添加剤タンク４５、薬剤タン
ク４６を含み、飼料タンク４の上方に封止カバー４７がさらに設けられ、貯水タンク４１
はマニホールドを通じて混合タンク３１に計量弁２（４２）を介して接続され、混合タン
ク３１内の混合飼料の水分含有率を調節するために使用され、
制御モジュール５は、給餌装置３の内壁上に設けられたコントローラ５１、および飼料タ
ンク４の外側に設けられたコントロールパネル５２を含み、コントローラ５１には、それ
ぞれ重量センサー１２１、こすり取り装置２１２、角度制御装置２２２、計量弁１（３１
１）、攪拌装置３１２、温度制御装置３１３、計量弁２（４２）、コントロールパネル５
２が接続される。
【００２３】
実施例２の動作方法は以下の通りである。ブロイラーの食物摂取前に、操作者はコントロ
ールパネル５２を通じて鶏の数、飼料割合および飼料に薬物を加える必要があるかどうか
を制御し、コントローラ５１は、それぞれ計量弁２（４２）を制御して貯水タンク４１、
飼料タンク４３、ビタミンタンク４４、添加剤タンク４５、薬剤タンク４６内の物品を混
合タンク３１に添加し、攪拌装置３１２で飼料を均一に混合し、温度制御装置３１３は室
温に応じて飼料を加熱または冷却し、ブロイラー食物摂取期間中、計量弁１（３１１）を
開き、投入口２１１から給餌トラフ２１内に少量の混合飼料を添加し、ブロイラーが食物
を摂取したい時、支持ブロック１２にジャンプし鶏頭を給餌トラフ２１に伸ばして食物を
摂取し、重量センサー１２１はそれぞれ食物を摂取する各ブロイラーの計量し、飼料を食
べているブロイラーの体重に応じてコントローラ５１でそれぞれ計量弁１（３１１）を制
御して給餌トラフ２１内に適切量の飼料を添加し、同時に水添加口２２１を介して飲用ト
ラフ２２内に飲用水を添加し、食物摂取期間中、ブロイラーの糞便がグリッドラック１３
を介して糞便バケツ１１内に落下し、食物摂取の後、こすり取り装置は給餌トラフ２１の
内壁上の残留飼料を糞便バケツ１１にこすりとり、角度制御装置２２２は飲用トラフ２２
内の水を糞便バケツ１１に注ぎ、糞便バケツ１１上の糞便と飼料残渣を糞便収集池１１１
に洗い流す。
【００２４】
実施例３：実施例１と基本的に同様であるが、異なるところは以下の通りである。
ベース１は水平な地面に固定的に配置され、ベース１は、パイプを介して糞便収集池１１
１に接続されブロイラー糞便を収集するための糞便バケツ１１を含み、糞便バケツ１１の
内側に間隔を空けてブロイラーを支持するための複数の支持ブロック１２が配置され、ベ
ース１の上面に、支持ブロック１２の周りに取り付けられブロイラーの落下を防止しブロ
イラー糞便を収集するためのグリッドラック１３が配置される。
【００２５】
実施例３の動作方法は以下の通りである。ブロイラーの食物摂取前に、操作者はコントロ
ールパネル５２を通じて鶏の数、飼料割合および飼料に薬物を加える必要があるかどうか
を制御し、コントローラ５１は、それぞれ計量弁２（４２）を制御して貯水タンク４１、
飼料タンク４３、ビタミンタンク４４、添加剤タンク４５、薬剤タンク４６内の物品を混
合タンク３１に添加し、攪拌装置３１２で飼料を均一に混合し、温度制御装置３１３は室
温に応じて飼料を加熱または冷却し、ブロイラー食物摂取期間中、計量弁１（３１１）を
開き、投入口２１１から給餌トラフ２１内に少量の混合飼料を添加し、ブロイラーが食物
を摂取したい時、支持ブロック１２にジャンプし鶏頭を給餌トラフ２１に伸ばして食物を
摂取し、コントローラ５１でそれぞれ計量弁１（３１１）を制御して給餌トラフ２１内に
設定された量の飼料を添加し、同時に水添加口２２１を介して飲用トラフ２２内に飲用水
を添加し、ブロイラーの食物摂取期間中、駆逐装置６の鈴により、飼料を食べているブロ
イラーを一度駆逐して、その食物摂取を刺激し、食物摂取期間中、ブロイラーの糞便がグ
リッドラック１３を介して糞便バケツ１１内に落下し、食物摂取の後、こすり取り装置は
給餌トラフ２１の内壁上の残留飼料を糞便バケツ１１にこすりとり、角度制御装置２２２
は飲用トラフ２２内の水を糞便バケツ１１に注ぎ、糞便バケツ１１上の糞便と飼料残渣を
糞便収集池１１１に洗い流す。
【００２６】
実施例４：実施例１と基本的に同様であるが、異なるところは以下の通りである。
トラフ２は、支持ブロック１２の内端の上方に環状に配置され、トラフ２は、間隔を空け
て設けられた複数の給餌トラフ２１および飲用トラフ２２を含み、給餌トラフ２１内に飼
料を添加するための投入口２１１が設けられ、
飲用トラフ２２内に飲用水を添加するための水添加口２２１が設けられる。
実施例４の動作方法は以下の通りである。ブロイラーの食物摂取前に、操作者はコントロ
ールパネル５２を通じて鶏の数、飼料割合および飼料に薬物を加える必要があるかどうか
を制御し、コントローラ５１は、それぞれ計量弁２（４２）を制御して貯水タンク４１、
飼料タンク４３、ビタミンタンク４４、添加剤タンク４５、薬剤タンク４６内の物品を混
合タンク３１に添加し、攪拌装置３１２で飼料を均一に混合し、温度制御装置３１３は室
温に応じて飼料を加熱または冷却し、ブロイラー食物摂取期間中、計量弁１（３１１）を
開き、投入口２１１から給餌トラフ２１内に少量の混合飼料を添加し、ブロイラーが食物
を摂取したい時、支持ブロック１２にジャンプし鶏頭を給餌トラフ２１に伸ばして食物を
摂取し、重量センサー１２１はそれぞれ食物を摂取する各ブロイラーの計量し、飼料を食
べているブロイラーの体重に応じてコントローラ５１でそれぞれ計量弁１（３１１）を制
御して給餌トラフ２１内に適切量の飼料を添加し、同時に水添加口２２１を介して飲用ト
ラフ２２内に飲用水を添加し、ブロイラーの食物摂取期間中、駆逐装置６の鈴により、飼
料を食べているブロイラーを一度駆逐して、その食物摂取を刺激し、食物摂取期間中、ブ
ロイラーの糞便がグリッドラック１３を介して糞便バケツ１１内に落下し、食物摂取の後
、給餌トラフ２１の内壁上の残留飼料を処理せず、続いて添加された飼料と混合して次の
ブロイラーの摂取に給餌され、飲用トラフ２２内の残りの水が次のブロイラーに給餌され
る。
上記の重量センサー１２１はＴＪＨ‐１荷重センサーであり、プッシュプルモータ２１２
４はＹＭＤ−６０プッシュプルロッド伸縮モータであり、油圧伸縮ロッド２２２１はＱＤ
型油圧支持ロッドであり、モータポンプ２２２２はＷＸユニバーサル油圧ストレッチポン
プであり、計量弁１（３１１）はＭＥＴＥＲＭＩＸ定量制御弁であり、電気加熱ワイヤ３
１３１は３００℃蓄熱電気加熱ワイヤであり、スプレーチラー３１３２はＢＫＳ‐ＦＭＧ
１９自己制御スプレーチラーであり、計量弁２（４２）はＭＥＴＥＲＭＩＸ定量制御弁で
あり、コントローラ５１はＥＳＸ−３ＣＭモバイルコントローラであり、コントロールパ
ネル５２はＴＰ２１００  ２１インチタッチパネルであり、持ち上げモータ６１は４２Ｂ
ＹＧＨマイクロステッピングモータである。
【００２７】
実験対象：ある鶏舎から同じバッチのチキン４０００羽を選び、ランダムに５００羽ごと
８組に分ける。
【００２８】
実験例１：駆逐装置によるブロイラー給餌効果に対する影響を調べる
第１組のチキンに対して、実施例１によって提供される給餌装置および方法を使用して給
餌し、第２組のチキンに対して実施例２によって提供される給餌装置および方法を使用し
て給餌し、他の給餌条件は同じであり、毎日２組のチキンの飼料消費量と重量変化を記録
し、比較結果に応じて駆逐装置によるブロイラー給餌効果に対する影響を調べ、結果比較
表は表１に示される。
【００２９】
表１ 駆逐装置によるブロイラー給餌効果に対する影響の比較表
0006842617.tif 000002
【００３０】
実験の結論：実施例１で提供される給餌装置および方法は、ブロイラーの食物摂取を刺激
でき、第１組チキンの体重増加量と飼料消費量はそれぞれ第２組チキンよりも大きく、駆
逐装置がブロイラーを駆逐することでブロイラーを刺激してその食物摂取量を増加できる
のを示している。
【００３１】
実験例２：飼料を食べているブロイラーの体重に応じて給餌量を制御することによりブロ
イラー給餌効果に対する影響を調べる
それぞれ第３組、第４組のチキンに対して実施例３によって提供される給餌装置および方
法を使用して給餌し、第３組チキンの給餌量を２００ｇ／羽とし、第４組チキンの給餌量
を３００ｇ／羽とし、他の給餌条件は同じであり、毎日２組のチキンの飼料消費と重量変
化を記録し、第１組チキンの記録結果と比較して給餌量によるブロイラー給餌効果に対す
る影響を調べ、結果比較表は表２に示される。
【００３２】
表２ 給餌量によるブロイラー給餌効果に対する影響の比較表
0006842617.tif 000003
【００３３】
実験結論：定量的に給餌する方法でブロイラーを給餌したところ、第３組のチキンの給餌
量が少なくなり、基本的に同様な飼料消費量下で、ブロイラーの体重増加効率が第１組の
ブロイラーの体重増加効率よりもはるかに低下し、第４組のチキンの給餌量が多く、第４
組ブロイラーの体重増加効率も第１組ブロイラーの体重増加効率よりやや高いものの、第
４組ブロイラーの総消費飼料量は第１組よりはるかに多く、無駄が多くなり、養殖コスト
が大幅に増加し、従って、飼料を食べているブロイラーの体重に応じて摂取量を計算して
計量弁を通じて飼料の供給量を変更し、飼料利用率を大幅に向上させ、養殖コストを節約
することできる。
【００３４】
実験例３：給餌残留飼料と残留水の様々な処理方法によるブロイラー死亡率に対する影響
を調べる
第５組、第６組、第７組のチキンに対して実施例４によって提供される給餌装置および方
法を使用して給餌する。
第５組チキンについては、食物摂取後、給餌トラフ２１の内壁上の残留飼料を処理せず、
続いて添加された飼料と混合して次のブロイラーに供給され、角度制御装置２２２は飲用
トラフ２２内の水を糞便バケツ１１にに注ぎ、糞便バケツ１１上の糞便と飼料残渣を糞便
収集池１１１に洗い流す、
第６組チキンについては、食物摂取後、こすり取り装置は給餌トラフ２１の内壁上の残留
飼料を糞便バケツ１１に擦り取り、飲用トラフ２２内の残留水が次のブロイラーに直接供
給され、
第７組チキンについては、食物摂取後、給餌トラフ２１の内壁上の残留飼料を処理せず、
続いて添加された飼料と混合して次のブロイラーに供給され、飲用トラフ２２内の残留水
は直接次のブロイラーに供給され、
それぞれ３組のチキンの死亡数を記録して比較し、比較結果が表３に示される。
【００３５】
表３ 残留飼料と残留水の様々な処理方法によるブロイラー死亡率の比較表
0006842617.tif 000004
【００３６】
実験結論：ブロイラーの食物摂取後の残留の飼料と残留水を処理しないと、残留の飼料が
変質し、残留水も細菌と寄生虫を繁殖させ、ブロイラーの死亡率を大幅に増加させ、第１
組チキンに対して実施例１によって提供される給餌装置および方法を使用して、残留飼料
と残留水を対応的に処理し、ブロイラーの死亡率を大幅に低減させる。
実験例４：本発明の給餌装置と市販されている給餌装置の効果を調べる
第８組チキンに対して市販されている給餌装置（Ｙｉｊｉａ  ｙｊ−ｆａ給餌装置）を使
用して給餌し、装置以外に、他の条件は第１組チキンの給餌条件と同様であり、毎日チキ
ンの各データを記録し、比較結果に基づいて本発明の給餌装置と市販されている給餌装置
の効果を比較し、結果比較表は表４に示される。
【００３７】
表４ 給餌装置によるブロイラー給餌効果に対する影響の比較表
0006842617.tif 000005
【００３８】
実験結論：実施例１によって提供される給餌装置および方法を使用して第１組チキンを給
餌する場合の効果は、市販されている給餌装置を使用して第８組チキンを給餌する効果よ
りも優れ、第１組チキンの体重増加率は第８組チキンより高く、かつ第１組チキンの飼料
消費量は第８組よりはるかに少なく、コストを大幅に節約し、飼料利用率を高め、第１組
チキンの死亡率も第８組より低く、従って、本発明の実施例１によって提供される給餌装
置および方法は従来の市販装置よりも優れることは明らかである。
【要約】      （修正有）【課題】ブロイラー用の効率的で環境に優しい知能的な飼料供給装置を提供する。【解決手段】ベース１、トラフ２、給餌装置３、飼料タンク４、および制御モジュール５を含み、ベースは、糞便バケツ、支持ブロック１２、重量センサー１２１、およびグリッドラック１３を含み、トラフは支持ブロックの内端の上方に環状に配置され、トラフは複数の給餌トラフ２１および飲用トラフ２２を含み、給餌トラフ内にそれぞれ投入口２１１およびこすり取り装置２１２が配置され、飲用トラフ内にそれぞれ水添加口２２１および角度制御装置が配置され、給餌装置はトラフの上方に配置され、給餌装置は混合タンク、攪拌装置および温度制御装置を含み、飼料タンク内に貯水タンク、飼料タンク、ビタミンタンク、添加剤タンク、薬剤タンクが含まれ、制御モジュールはコントローラおよびコントロールパネル５２を含む。【選択図】図１【図１】
0006842617.tif 000006
【図２】
0006842617.tif 000007
【図３】
0006842617.tif 000008
【図４】
0006842617.tif 000009